(57)【要約】【課題】  特典が発生しているのか発生していないのかを容易に判断する。【解決手段】  パチンコ機１０では、特別図柄表示装置２８で停止表示された複数の図柄が特定の図柄の組み合わせである場合に大当たり状態が発生されると共に、大当たり状態終了後に通常遊技状態または確率変動状態が発生される。ここで、下ラッキーナンバー表示部４４は、通常遊技状態において大当たり状態が発生した場合のみにラッキーモード抽選の結果を表示する。これにより、通常遊技状態において大当たり状態が発生した場合におけるラッキーモード抽選の結果のみによりラッキーモードを発生または解除する営業形態の遊技場において、ラッキーモードであるかラッキーモードでないかを下ラッキーナンバー表示部４４によって容易に判断できる。【選択図】    図１
2005177121.tif 000002
【特許請求の範囲】
【請求項１】
遊技の賞に伴い遊技者が遊技媒体を獲得可能であり、
遊技者が遊技媒体を獲得することが容易となる特定遊技状態を特定遊技抽選により発生し、
前記特定遊技状態終了後において所定確率または前記所定確率よりも高い確率で前記特定遊技状態を発生させる前記特定遊技抽選を行う遊技機であって、
前記特定遊技抽選による前記所定確率での前記特定遊技状態の発生毎に遊技者への特典についての特典抽選を行い、少なくとも当該特定遊技抽選により前記所定確率で発生した前記特定遊技状態の終了から次回の前記特定遊技抽選による前記所定確率での前記特定遊技状態の発生まで前記特典抽選の結果を報知する報知手段を備えた、ことを特徴とする遊技機。
【請求項２】
前記特定遊技状態の発生毎に遊技者への特典についての追加特典抽選を行い、少なくとも当該特定遊技状態の終了から次回の前記特定遊技状態の発生まで前記追加特典抽選の結果を報知する追加報知手段を備えた、ことを特徴とする請求項１記載の遊技機。
【発明の詳細な説明】
【技術分野】
【０００１】
本発明は、遊技媒体を獲得することが容易となる特定遊技状態を特定遊技抽選により発生する遊技機に関する。
【背景技術】
【０００２】
パチンコ機（パチンコ遊技機）としては、図柄表示器（第２可変表示器）に可変表示される３つの図柄が、可変表示停止時に同一図柄に揃った場合に、大当たり状態（特定遊技状態）を発生させるものがある（例えば、特許文献１参照）。
【０００３】
このパチンコ機では、大当たり状態が発生される際において、図柄表示器で揃った同一図柄が発生図柄（例えばラッキーナンバー）である場合にはラッキーモードを発生すると共に、図柄表示器で揃った同一図柄が解除図柄（例えばラッキーナンバー以外の図柄）である場合にはラッキーモードを解除する。なお、ラッキーモードである場合には、例えば、大当たり状態が終了してもそれまでに獲得した遊技球を使用して同一のパチンコ機で遊技を継続可能とする継続遊技サービスを受けることができる。
【０００４】
また、パチンコ機には、大当たり状態が発生される際に図柄表示器で揃った同一図柄が、特別図柄以外である場合には当該大当たり状態の終了後通常遊技状態を発生する一方、特別図柄である場合には当該大当たり状態の終了後確率変動状態（大当たり状態が発生される確率が通常遊技状態よりも高い状態）を発生するものがある。
【０００５】
ところで、大当たり状態が発生される際に図柄表示器で揃った同一図柄が発生図柄であるか解除図柄であるかを、当該大当たり状態が通常遊技状態において発生した際のみ確認して（当該大当たり状態が確率変動状態において発生した際には無視して）、ラッキーモードの発生或いは解除を行うことにした営業形態の遊技場が多くなってきている。
【０００６】
このため、このような遊技場においては、大当たり状態の発生時に図柄表示器で揃った同一図柄が発生図柄である際に、ラッキーモードが発生される場合と発生されない場合とがあると共に、大当たり状態の発生時に図柄表示器で揃った同一図柄が解除図柄である際に、ラッキーモードが解除される場合と解除されない場合とがある。しかも、大当たり状態が発生された際に図柄表示器で揃った同一図柄を遊技者が見逃したり記憶していない場合もある。これにより、ラッキーモードであるのかラッキーモードでないのかを、判断困難であるという問題がある。
【０００７】
さらに、このパチンコ機では、遊技盤周部に５つのレール飾りランプが設けられており、大当たり状態終了後において、停止点灯されたレール飾りランプに描かれた数字が発生図柄（ラッキーナンバー）である場合にはラッキーモードを発生させると共に、停止点灯されたレール飾りランプに描かれた数字が解除図柄（ラッキーナンバー以外）である場合にはラッキーモードを解除させることもできる。ところが、この場合にも、上記と同様の問題がある。
【０００８】
また、パチンコ機としては、大当たり状態（特定遊技状態）が発生された際に図柄表示器（液晶表示盤）で揃った同一図柄（図柄表示器に可変表示される３つの図柄が可変表示停止時に揃った同一図柄）の履歴を、図柄表示器に表示するものがある（例えば、特許文献２参照）。
【０００９】
このパチンコ機では、大当たり状態が発生された際に図柄表示器で揃った同一図柄の履歴が、通常遊技状態における履歴と確率変動状態における履歴とで表示形態を異ならせて図柄表示器に表示される。
【００１０】
しかしながら、このパチンコ機の図柄表示器では、大当たり状態が発生された際に図柄表示器で揃った同一図柄の履歴が、通常遊技状態において大当たり状態が発生した際の履歴と、確率変動状態において大当たり状態が発生した際の履歴と、で混同された状態で、一列に並べられて表示される。
【００１１】
このため、上記営業形態の遊技場では、図柄表示器に表示された上記同一図柄の履歴によっては、現在がラッキーモードであるのかラッキーモードでないのかを一目で判断することが困難である。これにより、ラッキーモードであるのかラッキーモードでないのかを判断するのにある程度の時間を要し、一般にパチンコ機が数百台設置された遊技場の少数の職員による判断が煩雑となるという問題がある。
【特許文献１】特開平５−１６８７５３号公報
【特許文献２】特開平１０−１５２２２号公報
【発明の開示】
【発明が解決しようとする課題】
【００１２】
本発明は、上記事実を考慮し、特典が発生しているのか発生していないのかを容易に判断できる遊技機を得ることが目的である。
【課題を解決するための手段】
【００１３】
請求項１に記載の遊技機は、遊技の賞に伴い遊技者が遊技媒体を獲得可能であり、遊技者が遊技媒体を獲得することが容易となる特定遊技状態を特定遊技抽選により発生し、前記特定遊技状態終了後において所定確率または前記所定確率よりも高い確率で前記特定遊技状態を発生させる前記特定遊技抽選を行う遊技機であって、前記特定遊技抽選による前記所定確率での前記特定遊技状態の発生毎に遊技者への特典についての特典抽選を行い、少なくとも当該特定遊技抽選により前記所定確率で発生した前記特定遊技状態の終了から次回の前記特定遊技抽選による前記所定確率での前記特定遊技状態の発生まで前記特典抽選の結果を報知する報知手段を備えた、ことを特徴としている。
【００１４】
請求項２に記載の遊技機は、請求項１に記載の遊技機において、前記特定遊技状態の発生毎に遊技者への特典についての追加特典抽選を行い、少なくとも当該特定遊技状態の終了から次回の前記特定遊技状態の発生まで前記追加特典抽選の結果を報知する追加報知手段を備えた、ことを特徴としている。
【発明の効果】
【００１５】
請求項１に記載の遊技機では、遊技の賞に伴い遊技者が遊技媒体を獲得可能とされており、遊技者が遊技媒体を獲得することが容易となる特定遊技状態を特定遊技抽選により発生する。さらに、特定遊技状態終了後において、所定確率または所定確率よりも高い確率で特定遊技状態を発生させる特定遊技抽選を行う。
【００１６】
ここで、報知手段が、特定遊技抽選による所定確率での特定遊技状態の発生毎に、遊技者への特典についての特典抽選を行うと共に、少なくとも当該特定遊技抽選により所定確率で発生した特定遊技状態の終了から次回の特定遊技抽選による所定確率での特定遊技状態の発生まで、特典抽選の結果を報知する。
【００１７】
このため、特定遊技抽選により所定確率で特定遊技状態が発生した際の特典抽選の結果のみを使用して特典を発生させたり消滅させる営業形態の遊技場において、特典が発生しているのか発生していないのかを報知手段によって容易に判断することができる。
【００１８】
請求項２に記載の遊技機では、追加報知手段が、特定遊技状態の発生毎に、遊技者への特典についての追加特典抽選を行うと共に、少なくとも当該特定遊技状態の終了から次回の特定遊技状態の発生まで、追加特典抽選の結果を報知する。
【００１９】
このため、特定遊技状態が発生した際の追加特典抽選の結果を使用して特典を発生させたり消滅させる営業形態の遊技場において、特典が発生しているのか発生していないのかを追加報知手段によって容易に判断することができる。
【００２０】
また、遊技場は、特定遊技抽選により所定確率で特定遊技状態が発生した際の特典抽選の結果のみを使用して特典を発生させたり消滅させる営業形態と特定遊技状態が発生した際の追加特典抽選の結果を使用して特典を発生させたり消滅させる営業形態との何れかに対応させて、報知手段を使用するか追加報知手段を使用するかを選択することができる。
【発明を実施するための最良の形態】
【００２１】
図１には、本発明の実施の形態に係る遊技機としてのパチンコ機１０が正面図にて示されており、図２には、パチンコ機１０における制御系の概略がブロック図にて示されている。
【００２２】
図１に示す如く、本実施の形態に係るパチンコ機１０は、パチンコ機本体１２を備えており、パチンコ機本体１２の上部には遊技盤１４が設けられると共に、パチンコ機本体１２の右側下部には発射ハンドル１６が設けられている。
【００２３】
遊技盤１４には、略円状の遊技領域１８が形成されており、遊技領域１８は外側の外バンド２０及び内側の内バンド２２によって囲まれている。ここで、発射ハンドル１６が操作されることで、遊技媒体としての遊技球（図示省略）が発射されて、遊技球が外バンド２０と内バンド２２との間を介して遊技盤１４の遊技領域１８に上方から供給される。
【００２４】
遊技盤１４の遊技領域１８には、略中央において役物２４が設けられており、役物２４には、上側において普通図柄表示装置２６が設けられると共に、下側において特別図柄表示装置２８が設けられている。
【００２５】
遊技盤１４の遊技領域１８には、役物２４の下方において始動口３０が設けられると共に、始動口３０の左右両側方において通過装置３２が設けられており、始動口３０は開口量を拡大可能とされている。遊技盤１４の遊技領域１８には、左右両側下部において単入賞口３４が設けられると共に、左右中央下部において大入賞口３６が設けられており、大入賞口３６は、閉鎖されると共に、内部にＶゾーン（図示省略）が設けられている。遊技盤１４の遊技領域１８には、最下端においてアウト口３８が設けられており、遊技領域１８の最下端に到達した遊技球はアウト口３８から排出される。また、始動口３０、単入賞口３４、大入賞口３６は、遊技球が入賞（遊技の賞）することで、遊技者が所定の遊技球を獲得できる。
【００２６】
遊技盤１４には、右端においてラッキーナンバー表示装置４０が設けられており、ラッキーナンバー表示装置４０には、上側において追加報知手段としての上ラッキーナンバー表示部４２が設けられると共に、下側において報知手段としての下ラッキーナンバー表示部４４が設けられている。図３に詳細に示す如く、上ラッキーナンバー表示部４２及び下ラッキーナンバー表示部４４には、それぞれ上ランプ４６及び下ランプ４８（例えばＬＥＤ）が複数（本実施の形態では５つ）設けられており、複数の上ランプ４６及び複数の下ランプ４８はそれぞれ左右方向に沿って一列に並べられている。各上ランプ４６と各下ランプ４８とは上下方向に並べられており、各上下方向に並べられた上ランプ４６及び下ランプ４８の上方（下方でもよい）に、異なる数字が表示される（本実施の形態では１乃至５の数字が左から右へ順に表示される）ことで、各上ランプ４６及び各下ランプ４８に当該各数字が対応されている。これにより、上ラッキーナンバー表示部４２は、何れか１つの上ランプ４６が点灯されることで当該点灯された上ランプ４６に対応する数字（上ランプ４６上方の数字）を表示（報知）可能とされると共に、下ラッキーナンバー表示部４４は、何れか１つの下ランプ４８が点灯されることで当該点灯された下ランプ４８に対応する数字（下ランプ４８上方の数字）を表示（報知）可能とされている。
【００２７】
なお、上ランプ４６と下ランプ４８とは異なる色に点灯可能とされており、本実施の形態では、例えば、上ランプ４６が赤色に点灯可能とされる一方、下ランプ４８が緑色に点灯可能とされている。
【００２８】
遊技盤１４には、遊技領域１８の外周において、所定数の装飾表示灯５０が設けられている。また、パチンコ機本体１２には、賞球装置５２及び効果音装置５４（図２参照）が設けられている。
【００２９】
図２に示す如く、パチンコ機本体１２には、主制御部６０、副制御部６２及び賞球制御部６４が設けられており、主制御部６０の出力ポートは、副制御部６２と賞球制御部６４との入力ポート、大入賞口用ソレノイド６６及び始動口用ソレノイド６８に電気的に接続されている。大入賞口用ソレノイド６６は上記大入賞口３６に機械的に接続されると共に、始動口用ソレノイド６８は上記始動口３０に機械的に接続されている。
【００３０】
副制御部６２の出力ポートは、上記特別図柄表示装置２８及び普通図柄表示装置２６に電気的に接続されると共に、賞球制御部６４の出力ポートは、上記賞球装置５２に電気的に接続されている。
【００３１】
主制御部６０の入力ポートは、単入賞口スイッチ７８に電気的に接続されており、単入賞口スイッチ７８は上記単入賞口３４に設けられている。これにより、単入賞口３４に遊技球が入賞して単入賞口スイッチ７８がＯＮされることで、主制御部６０及び賞球制御部６４の制御により、賞球装置５２から所定数の遊技球が払い出されて、遊技者が所定数の遊技球を獲得する。
【００３２】
主制御部６０の入力ポートは、特別図柄始動スイッチ７０に電気的に接続されており、特別図柄始動スイッチ７０は始動口３０に設けられている。これにより、始動口３０に遊技球が入賞して特別図柄始動スイッチ７０がＯＮされることで、主制御部６０及び副制御部６２の制御により、特別図柄表示装置２８で複数（本実施の形態では３つ）の図柄（数字等の文字及びマーク等）が変動表示された後停止表示されて、大当たり抽選（特定遊技抽選）が行われる。
【００３３】
特別図柄表示装置２８で停止表示された複数の図柄が特定の図柄の組み合わせ（例えば「７」「７」「７」等の同一図柄の組み合わせ）である場合には、大当たり状態（特定遊技状態）が発生されることで、主制御部６０の制御により、大入賞口用ソレノイド６６がＯＮされて、大入賞口３６が所定時間開放される。
【００３４】
主制御部６０の入力ポートは、カウントスイッチ７２に電気的に接続されており、カウントスイッチ７２は大入賞口３６に設けられている。これにより、大当たり状態が発生されて大入賞口３６が開放された際に大入賞口３６に遊技球が入賞してカウントスイッチ７２がＯＮされることで、主制御部６０及び賞球制御部６４の制御により、大入賞口３６に入賞した遊技球の数に応じた遊技球が賞球装置５２から払い出されて、遊技者が当該数の遊技球を獲得する。このため、大当たり状態では、大入賞口３６が開放されるため、遊技者が遊技球を獲得することが容易となる。
【００３５】
主制御部６０の入力ポートは、Ｖスイッチ７４に電気的に接続されており、Ｖスイッチ７４は上記Ｖゾーンに設けられている。これにより、大当たり状態が発生されて大入賞口３６が開放された際にＶゾーンに遊技球が入賞してＶスイッチ７４がＯＮされることで、主制御部６０の制御により、大当たり状態が継続される。
【００３６】
主制御部６０の入力ポートは、普通図柄始動スイッチ７６に電気的に接続されており、普通図柄始動スイッチ７６は上記通過装置３２に設けられている。これにより、通過装置３２を遊技球が通過して普通図柄始動スイッチ７６がＯＮされることで、主制御部６０及び副制御部６２の制御により、普通図柄表示装置２６で所定数（本実施の形態では１つ）の図柄（数字等の文字または絵柄等）が変動表示された後停止表示されて、小当たり抽選が行われる。
【００３７】
普通図柄表示装置２６で停止表示された所定数の図柄が所定の図柄（例えば「７」等）または所定の図柄の組み合わせ（例えば同一図柄の組み合わせ）である場合には、小当たり状態が発生されることで、主制御部６０の制御により、始動口用ソレノイド６８がＯＮされて、始動口３０の開口が拡大される。これにより、始動口３０に遊技球が入賞する確率が高くなる。
【００３８】
また、大当たり状態が発生される際に特別図柄表示装置２８で停止表示された複数の図柄が特別の図柄の組み合わせ以外（例えば同一偶数数字の組み合わせ）である場合には、当該大当たり状態の終了後に通常遊技状態が発生される。これにより、主制御部６０及び副制御部６２の制御により、大当たり抽選で大当たり状態が発生する確率（特別図柄表示装置２８で停止表示される複数の図柄が特定の図柄の組み合わせになる確率）が所定確率（例えば１／３００の確率）にされる。
【００３９】
また、大当たり状態が発生される際に特別図柄表示装置２８で停止表示された複数の図柄が特別の図柄の組み合わせ（例えば同一奇数数字の組み合わせ）である場合には、当該大当たり状態の終了後に確率変動状態が発生される。これにより、主制御部６０及び副制御部６２の制御により、大当たり抽選で大当たり状態が発生する確率が通常遊技状態よりも高くされる（例えば１／７０の確率）。
【００４０】
副制御部６２の出力ポートは、上記所定数の装飾表示灯５０及び効果音装置５４に電気的に接続されており、特に上記大当たり状態、小当たり状態及び確率変動状態等の際には、主制御部６０及び副制御部６２が、所定数の装飾表示灯５０の点灯及び消灯や効果音装置５４からの効果音を制御する。
【００４１】
副制御部６２の出力ポートは、上記ラッキーナンバー表示装置４０に電気的に接続されており、上記大当たり状態が終了した際には、主制御部６０及び副制御部６２の制御により、ラッキーナンバー表示装置４０において、ラッキーモード抽選が行われる。
【００４２】
すなわち、ラッキーナンバー表示装置４０の上ラッキーナンバー表示部４２では、上記通常遊技状態及び確率変動状態において大当たり状態が発生して当該大当たり状態が終了した際に、一定時間複数の上ランプ４６が１つずつ移動点灯されて移動点灯される上ランプ４６に対応する数字（上ランプ４６上方の数字）が変動表示された後、１つの上ランプ４６が停止点灯されて停止点灯された上ランプ４６に対応する数字が停止表示されることで、ラッキーモード抽選（遊技者への特典についての追加特典抽選）の結果が表示（報知）される。
【００４３】
一方、ラッキーナンバー表示装置４０の下ラッキーナンバー表示部４４では、通常遊技状態において大当たり状態が発生して当該大当たり状態が終了した際に、一定時間複数の下ランプ４８が１つずつ移動点灯されて移動点灯される下ランプ４８に対応する数字（下ランプ４８上方の数字）が変動表示された後、１つの下ランプ４８が停止点灯されて停止点灯された下ランプ４８に対応する数字が停止表示されることで、ラッキーモード抽選（遊技者への特典についての特典抽選）の結果が表示（報知）される。
【００４４】
これにより、上ラッキーナンバー表示部４２に停止表示される数字（停止点灯された上ランプ４６に対応する数字）は、次に通常遊技状態及び確率変動状態において大当たり状態が発生してラッキーモード抽選が開始されるまで、停止表示が維持される。一方、下ラッキーナンバー表示部４４に停止表示される数字（停止点灯された下ランプ４８に対応する数字）は、次に通常遊技状態において大当たり状態が発生してラッキーモード抽選が開始されるまで、停止表示が維持される。
【００４５】
このため、上ラッキーナンバー表示部４２に停止表示される数字は、通常遊技状態及び確率変動状態において大当たり状態が発生した場合におけるラッキーモード抽選の結果となる一方、下ラッキーナンバー表示部４４に停止表示される数字は、通常遊技状態において大当たり状態が発生した場合におけるラッキーモード抽選の結果となる構成である。
【００４６】
ここで、大当たり状態が発生した場合において、ラッキーモード抽選の結果がラッキーナンバー（例えば「１」）である際には常にラッキーモードを発生させると共に、ラッキーモード抽選の結果が解除ナンバー（例えば「２」乃至「５」）である際には常にラッキーモードを解除させる営業形態の遊技場（ホール）がある。このような遊技場では、上ラッキーナンバー表示部４２に停止表示された数字が、ラッキーモード抽選の結果として使用される。
【００４７】
また、通常遊技状態で大当たり状態が発生した場合におけるラッキーモード抽選の結果が、ラッキーナンバーである際には常にラッキーモードを発生させると共に解除ナンバーである際には常にラッキーモードを解除させる一方、確率変動状態で大当たり状態が発生した場合におけるラッキーモード抽選の結果ではラッキーモードを発生及び解除させない営業形態の遊技場がある。このような遊技場では、下ラッキーナンバー表示部４４に停止表示された数字が、ラッキーモード抽選の結果として使用される。
【００４８】
なお、ラッキーモードである場合には、例えば、大当たり状態が終了してもそれまでに獲得した遊技球を使用して同一のパチンコ機１０で遊技を継続可能とする継続遊技サービス、または、飲食物やクーポン券等の景品を提供する景品提供サービス等を受けることができる。
【００４９】
次に、本実施の形態の作用を説明する。
【００５０】
以上の構成のパチンコ機１０では、発射ハンドル１６が操作されることで、遊技球が、発射されて外バンド２０と内バンド２２との間を介して遊技盤１４の遊技領域１８に上方から供給される。始動口３０に遊技球が入賞した際には、特別図柄表示装置２８において、複数の図柄が変動表示された後停止表示されて、大当たり抽選が行われる。
【００５１】
特別図柄表示装置２８で停止表示された複数の図柄が特定の図柄の組み合わせである場合には、大当たり状態が発生されて、大入賞口３６が所定時間開放されることで、遊技者が遊技球を獲得することが容易となる。
【００５２】
大当たり状態が発生される際に特別図柄表示装置２８で停止表示された複数の図柄が特別の図柄の組み合わせ以外である場合には、当該大当たり状態が終了した後に通常遊技状態（大当たり抽選において所定確率で大当たり状態を発生させる状態）が発生される。一方、大当たり状態が発生される際に特別図柄表示装置２８で停止表示された複数の図柄が特別の図柄の組み合わせである場合には、当該大当たり状態が終了した後に確率変動状態（大当たり抽選において所定確率より高い確率で大当たり状態を発生させる状態）が発生される。
【００５３】
大当たり状態が終了した際には、図４に示すフローチャートに従って、ラッキーナンバー表示装置４０において、ラッキーモード抽選が行われる。
【００５４】
すなわち、先ず、ステップ１００において、大当たり状態が発生したか否かが判断される。
【００５５】
ステップ１００において大当たり状態が発生していないと判断された際には、ラッキーモード抽選は行われない。
【００５６】
一方、ステップ１００において大当たり状態が発生したと判断された際には、ステップ１０２において、ラッキーナンバー表示装置４０の上ラッキーナンバー表示部４２でラッキーモード抽選が行われると共に、ステップ１０４において、通常遊技状態から大当たり状態が発生したか（通常時からの大当たりか）否かが判断される。
【００５７】
ステップ１０４において通常遊技状態から大当たり状態が発生したと判断された際には、ステップ１０６おいて、ラッキーナンバー表示装置４０の下ラッキーナンバー表示部４４でラッキーモード抽選が行われる。
【００５８】
一方、ステップ１０４において通常遊技状態以外（確率変動状態）から大当たり状態が発生したと判断された際には、下ラッキーナンバー表示部４４でのラッキーモード抽選は行われない。
【００５９】
これにより、ラッキーナンバー表示装置４０の上ラッキーナンバー表示部４２では、上記通常遊技状態及び確率変動状態において大当たり状態が発生して当該大当たり状態が終了した際に、一定時間複数の上ランプ４６が１つずつ移動点灯されて移動点灯される上ランプ４６に対応する数字が変動表示された後、１つの上ランプ４６が停止点灯されて停止点灯された上ランプ４６に対応する数字が停止表示されることで、ラッキーモード抽選の結果が表示される。
【００６０】
一方、ラッキーナンバー表示装置４０の下ラッキーナンバー表示部４４では、通常遊技状態において大当たり状態が発生して当該大当たり状態が終了した際に、一定時間複数の下ランプ４８が１つずつ移動点灯されて移動点灯される下ランプ４８に対応する数字が変動表示された後、１つの上ランプ４６が停止点灯されて停止点灯された上ランプ４６に対応する数字が停止表示されることで、ラッキーモード抽選の結果が表示される。
【００６１】
このため、上ラッキーナンバー表示部４２に停止表示される数字は、通常遊技状態及び確率変動状態において大当たり状態が発生した場合におけるラッキーモード抽選の結果となる一方、下ラッキーナンバー表示部４４に停止表示される数字は、通常遊技状態において大当たり状態が発生した場合におけるラッキーモード抽選の結果となる。
【００６２】
これにより、下ラッキーナンバー表示部４４は、通常遊技状態において大当たり状態が発生した場合におけるラッキーモード抽選の結果のみを表示して、確率変動状態において大当たり状態が発生した場合におけるラッキーモード抽選の結果を表示しない。しかも、下ラッキーナンバー表示部４４によるラッキーモード抽選の結果の表示は、次に通常遊技状態において大当たり状態が発生してラッキーモード抽選が行われるまで、維持される。
【００６３】
このため、下ラッキーナンバー表示部４４では、通常遊技状態において大当たり状態が発生した場合におけるラッキーモード抽選の結果を、仮にその後に確率変動状態において大当たり状態が発生してラッキーモード抽選が行われた後でも、容易に把握することができる。
【００６４】
したがって、通常遊技状態で大当たり状態が発生した場合におけるラッキーモード抽選の結果が、ラッキーナンバーである際には常にラッキーモードを発生させると共に解除ナンバーである際には常にラッキーモードを解除させる一方、確率変動状態で大当たり状態が発生した場合におけるラッキーモード抽選の結果ではラッキーモードを発生及び解除させない営業形態の遊技場では、下ラッキーナンバー表示部４４に表示された数字をラッキーモード抽選の結果として使用することで、ラッキーモードであるかラッキーモードでないかを容易に（時間を要せず一目で）判断することができる。
【００６５】
一方、上ラッキーナンバー表示部４２は、通常遊技状態及び確率変動状態において大当たり状態が発生した場合におけるラッキーモード抽選の結果を表示する。このため、通常遊技状態及び確率変動状態において大当たり状態が発生した場合におけるラッキーモード抽選の結果を、容易に把握することができる。
【００６６】
したがって、大当たり状態が発生した場合において、ラッキーモード抽選の結果がラッキーナンバーである際には常にラッキーモードを発生させると共に、ラッキーモード抽選の結果が解除ナンバーである際には常にラッキーモードを解除させる営業形態の遊技場では、上ラッキーナンバー表示部４２に表示された数字をラッキーモード抽選の結果として使用することで、ラッキーモードであるかラッキーモードでないかを容易に判断することができる。
【００６７】
また、遊技場は、上記何れかの営業形態に対応させて、ラッキーモード抽選の結果として、上ラッキーナンバー表示部４２を使用するか下ラッキーナンバー表示部４４を使用するかを選択することができる。このため、上記何れの営業形態の遊技場でもパチンコ機１０を使用でき、パチンコ機１０の汎用性を向上させることができる。
【００６８】
なお、本実施の形態では、遊技盤１４の右端に上ラッキーナンバー表示部４２及び下ラッキーナンバー表示部４４を一体に設けた構成としたが、上ラッキーナンバー表示部（追加報知手段）及び下ラッキーナンバー表示部（報知手段）をパチンコ機本体に別々に設けた構成や、上ラッキーナンバー表示部（追加報知手段）や下ラッキーナンバー表示部（報知手段）をパチンコ機本体の別の部位に設けた構成としてもよい。
【００６９】
さらに、本実施の形態では、下ラッキーナンバー表示部４４が通常遊技状態において大当たり状態が発生した場合におけるラッキーモード抽選のみを表示する構成としたが、下ラッキーナンバー表示部等の報知手段が確率変動状態において大当たり状態が発生した場合におけるラッキーモード抽選（特典抽選）のみを表示（報知）する構成としてもよい。
【００７０】
また、本実施の形態では、上ラッキーナンバー表示部４２及び下ラッキーナンバー表示部４４がそれぞれ複数の上ランプ４６及び複数の下ランプ４８を有する構成としたが、図５に示すラッキーナンバー表示装置８０の如く、上側の追加報知手段としての上ラッキーナンバー表示部８２及び下側の報知手段としての下ラッキーナンバー表示部８４が、それぞれ７セグメントＬＥＤを有する構成としてもよい。この場合、上ラッキーナンバー表示部８２及び下ラッキーナンバー表示部８４は、７セグメントＬＥＤによって、数字を点灯表示（報知）可能とされている。
【００７１】
さらに、図６に示すの如く、ラッキーナンバー表示装置９０を、円盤状の表示板９２と、追加報知手段としての時計針状の第１ラッキーナンバー表示針９４と、報知手段としての時計針状の第２ラッキーナンバー表示針９６と、を有する構成してもよい。この場合、表示板９２の周部には、異なる数字が周方向に沿って表示される（図６では１乃至５の数字が順に周方向へ等間隔で表示される）と共に、表示板９２の中心には、第１ラッキーナンバー表示針９４及び第２ラッキーナンバー表示針９６の基端が回動可能に支持されており、第１ラッキーナンバー表示針９４と第２ラッキーナンバー表示針９６とは、長さ、太さ及び色彩等の少なくとも１つの形態が互いに異なっている。第１ラッキーナンバー表示針９４及び第２ラッキーナンバー表示針９６は、先端において表示板９２周部の数字を指すことで、当該数字を表示（報知）可能とされている。
【００７２】
また、本実施の形態では、本発明の遊技機をパチンコ機１０に適用した構成としたが、本発明の遊技機をスロットマシーン等の他の遊技機に適用した構成としてもよい。
【図面の簡単な説明】
【００７３】
【図１】本発明の実施の形態に係るパチンコ機を示す正面図である。
【図２】本発明の実施の形態に係るパチンコ機における制御系の概略を示すブロック図である。
【図３】本発明の実施の形態に係るパチンコ機におけるラッキーナンバー表示装置を詳細に示す正面図である。
【図４】本発明の実施の形態に係るパチンコ機におけるラッキーナンバー表示装置でのラッキーモード抽選の手順を示すフローチャートである。
【図５】本発明の実施の形態に係るパチンコ機におけるラッキーナンバー表示装置の別例を詳細に示す正面図である。
【図６】本発明の実施の形態に係るパチンコ機におけるラッキーナンバー表示装置の他の別例を詳細に示す正面図である。
【符号の説明】
【００７４】
１０    パチンコ機（遊技機）
４２    上ラッキーナンバー表示部（追加報知手段）
４４    下ラッキーナンバー表示部（報知手段）
８２    上ラッキーナンバー表示部（追加報知手段）
８４    下ラッキーナンバー表示部（報知手段）
９４    第１ラッキーナンバー表示針（追加報知手段）
９６    第２ラッキーナンバー表示針（報知手段）
【図１】
2005177121.tif 000003
【図２】
2005177121.tif 000004
【図３】
2005177121.tif 000005
【図４】
2005177121.tif 000006
【図５】
2005177121.tif 000007
【図６】
2005177121.tif 000008